(57)【要約】【課題】ロールを被覆するレジスト層上で隣接する露光マークの露光開始点を正確に制御し２次元的に自在な配置に大面積の露光パターンを作製可能な露光装置及び露光方法を提供することを目的の一とする。【解決手段】レジスト層がロール表面を被覆してなるロール状の部材にレーザー光でパルス露光してレジスト層に複数の露光部からなる露光パターンを形成する露光装置において、ロール状部材をロールの中心を軸に回転させる回転制御部と、ロール状部材の回転方向における露光パターンをロール状部材の回転と同期した基準信号に基づいて制御し、ロール状部材の回転方向と垂直なロール長手方向に露光を繰り返す露光部とを設ける。【選択図】図１
2011118049.tif 000002
【特許請求の範囲】
【請求項１】
レジスト層がロール表面を被覆してなるロール状部材にレーザー光でパルス露光して前記レジスト層に複数の露光部からなる露光パターンを形成する露光装置であって、
前記ロール状部材を前記ロールの中心を軸に回転させる回転制御部と、
前記ロール状部材の回転方向における前記露光パターンを前記回転制御部の回転と同期した基準信号に基づいて制御し、前記ロール状部材の回転方向と垂直なロールの長手方向に露光を繰り返す露光制御部と、
を有することを特徴とする露光装置。
【請求項２】
前記基準信号が前記回転制御部の回転に同期したエンコーダーからの出力パルスであることを特徴とする請求項１に記載の露光装置。
【請求項３】
前記基準信号が予め前記レジスト層に形成された参照露光パターンを再生することで生成されることを特徴とする請求項１に記載の露光装置。
【請求項４】
少なくとも２個以上の光ピックアップにより前記参照露光パターンの再生と前記レジスト層の露光が同時に行われることを特徴とする請求項３に記載の露光装置。
【請求項５】
前記基準信号が予め異なる複数の周期の種類に応じて前記レジスト層に形成された複数の参照露光パターンを再生することで生成されることを特徴とする請求項３又は請求項４に記載の露光装置。
【請求項６】
異なる複数の基準信号に基づいて各々に予め設定された露光本数の露光ラインを形成することを特徴とする請求項５に記載の露光装置。
【請求項７】
前記ロール部材の回転方向における前記露光部の長さ及び間隔の少なくとも一方が前記基準信号の出力パルスに対して複数個のパルス長で制御されることを特徴とする請求項１〜６のいずれかに記載の露光装置。
【請求項８】
前記ロール長手方向に繰り返し露光される前記露光部の露光開始位置が、前記基準信号のスタートパルスからパルス数をカウントし、１種類のパルス数が露光開始パルスとして設定され、設定露光開始パルスの立ち上がりまたは立ち下がりのいずれか一方を基準としていることを特徴とする請求項１〜７のいずれかに記載の露光装置。
【請求項９】
前記ロール長手方向に繰り返し露光される前記露光部の露光開始位置が、前記基準信号のスタートパルスからパルス数をカウントし、異なる２種類以上のパルス数が設定され１ライン毎に順次設定露光開始パルス数が１周毎に異なり、設定露光開始パルスの立ち上がりまたは立ち下がりのいずれか一方を基準としていることを特徴とする請求項１〜７のいずれかに記載の露光装置。
【請求項１０】
前記ロール部材の回転方向に周期的に露光される前記露光パターンのピッチ及び前記露光部のサイズが５０ｎｍ以上１μｍ以下であることを特徴とする請求項１〜９のいずれかに記載の露光装置。
【請求項１１】
前記ロール表面を被覆する前記レジスト層が熱反応型レジストからなることを特徴とする請求項１〜１０のいずれかに記載の露光装置。
【請求項１２】
前記レーザーの波長が５５０ｎｍ以下であることを特徴とする請求項１〜１１のいずれかに記載の露光装置。
【請求項１３】
前記レーザーが対物レンズにより収束されその焦点深度内に前記ロール基材表面が存在するようにオートフォーカスされることを特徴とする請求項１〜１２のいずれかに記載の露光装置。
【請求項１４】
前記レーザーが半導体レーザーであることを特徴とする請求項１〜１３のいずれかに記載の露光装置。
【請求項１５】
前記レーザーがＸｅＦ、ＸｅＣｌ，ＫｒＦ、ＡｒＦ、Ｆ２エキシマレーザーであることを特徴とする請求項１〜１３のいずれかに記載の露光装置。
【請求項１６】
前記レーザーがＮｄ：ＹＡＧレーザーの２倍波、３倍波、４倍波であることを特徴とする請求項１〜１３のいずれかに記載の露光装置。
【請求項１７】
請求項１〜１６のいずれかに記載の露光装置により作製されたロールツーロールナノインプリント用モールド。
【請求項１８】
モールドに形成された露光パターンのピッチおよび露光部のサイズが５０ｎｍ以上１μｍ以下であることを特徴とする請求項１７に記載のロールツーロールナノインプリント用モールド。
【発明の詳細な説明】
【技術分野】
【０００１】
本発明は、露光装置及び当該露光装置を用いて作製されたインプリント用モールドに関する。また、少なくともレジスト層が形成された基材からなるインプリント原版へのレーザーによる精密露光を可能とするインプリントモールド作製方法に関する。
【背景技術】
【０００２】
近年、半導体、光学・磁気記録等の分野において高密度化、高集積化等の要求が高まるにつれ、数百〜数十ｎｍ以下の微細パターン加工技術が必須となっている。そこで、これら微細パターン加工を実現するためにマスク・ステッパー、露光、レジスト材料等の各工程の要素技術が盛んに研究されている。
【０００３】
例えば、マスク・ステッパーの工程においては、位相シフトマスクと呼ばれる特殊なマスクを用い、光に位相差を与え、干渉の効果により微細パターン加工精度を高める技術や、ステッパー用レンズとウエハーとの間に液体を充填し、レンズを通過した光を大きく屈折させることにより、微細パターン加工を可能にする液浸技術などが検討されている。しかしながら、前者ではマスク開発に莫大なコストが必要なことや、後者では高価な装置が必要になることなど製造コストの削減は非常に困難である。
【０００４】
一方、レジスト材料においても多くの検討が進められている。現在、最も一般的なレジスト材料は、紫外光、電子線、Ｘ線などの露光光源に反応する光反応型有機レジスト（以下、フォトレジストともいう。）である（例えば、特許文献１、非特許文献１を参照のこと）。
【０００５】
露光に用いられるレーザー光において、通常レンズで絞り込まれたレーザー光の強度は、ガウス分布形状を示す。このときスポット径は１／ｅ２で定義される。一般的にフォトレジストの反応は、Ｅ＝ｈν（Ｅ：エネルギー、ｈ：プランク定数、ν：波長）で表されるエネルギーを吸収することよって反応が開始される。従ってその反応は、光の強度には強く依存せず、むしろ光の波長に依存するため、光の照射された部分（露光マーク）は、ほぼ全て反応が生じることになる。従ってフォトレジストを使った場合は、スポット径に対して忠実に露光されることになる。
【０００６】
光反応型有機レジストを用いる方法は、数百ｎｍ程度の微細なパターンを形成するには非常に有効な方法ではあるが、光反応を用いたフォトレジストを用いるため、さらに微細なパターンを形成するには、原理的に必要とされるパターンより小さなスポットで露光する必要がある。従って、露光光源として波長が短いＫｒＦやＡｒＦレーザー等を使用せざるを得ない。しかしながら、これらの光源装置は非常に大型でかつ高価なため、製造コスト削減の観点からは改善の余地がある。さらに電子線、Ｘ線等の露光光源を用いる場合は、露光雰囲気を真空状態にする必要があるため、真空チェンバーを使用する必要があるため、コストや大型化の観点からかなりの制限がある。
【０００７】
一方、ガウス分布を持つレーザー光を物体に照射すると、物体の温度もレーザー光の強度分布と同じガウス分布を示す。このときある温度以上で反応するレジスト、すなわち、熱反応型レジストを使うと、所定温度以上になった部分のみ反応が進むため、スポット径より小さな範囲を露光することが可能となる。すなわち、露光光源を短波長化することなく、スポット径よりも微細なパターンを形成することが可能となるので、熱反応型レジストを使うことで、露光光源波長の影響を小さくすることができる。
【０００８】
近年可視光の波長と同等あるいは可視光の波長よりも小さな周期的な凹凸を基材上に形成することにより新規な光学特性を示す構造体が多く報告されている。光学フィルム分野を例にとるとワイヤーグリッド偏光子に用いられる溝形状凹凸やモスアイ型反射防止フィルムに用いられるコーン形状凹凸などを挙げることができる。これらはパターン形成方向と直交する方向に隣接するパターンの間で同期が取れている必要は全くない。
【０００９】
ところが最近、表面プラズモン効果を利用したデバイスとしてカラーフィルター（非特許文献２を参照のこと）や偏光板（特許文献２を参照のこと）が提案されている。これらはパターン形成方向と直交する方向に隣接するパターンの間で同期が取れていることが非常に重要である。前記カラーフィルターではパターン形成方向と直交する方向に隣接するパターン間に互いに１／２周期ずらした構造が形成されている。このカラーフィルターの構造はガラス基材の上にサブミクロンオーダーの周期構造が形成されたＡｌ、その上を覆うＳｉＯ２からなっている。
【００１０】
このような微細構造体は平板状の基材の上に形成されていた。例えばｘ方向、ｙ方向に独立に精密移動可能なステージ（ｘ−ｙステージ）上に平板基材を置きレーザーや電子ビームにより加工することで形成している。そのため、このようなシステムではｘ方向、ｙ方向とも非常に高精度な同期を実現することは容易である。
【００１１】
しかし加工面積を大きくし工業化するためには、１枚１枚の平板を電子ビームなどで加工するのではなく、ロール状基材を用いてその表面にパターンを形成しておき連続的にロールから別の基材へ転写するロールツーロールナノインプリントという方法を用いることが提案されている。ところがロール基材を用いた場合、ｘ−ｙステージの様に隣接する露光部と同期の取れた露光パターンを形成することは非常に困難である。
【００１２】
一般にロール基材上に微細構造体を作製するにはレジスト層を表面に被覆したロールをその中心軸を中心に回転させながら、ロール表面に光ピックアップから集光されたレーザー光をパルス状に照射してレジスト層をロール回転方向に周期的に露光し、ロール回転方向とは垂直なロール長手方向に露光を繰り返す形態が考えられる。
【００１３】
しかし上記方法において数１００ｎｍ以下のサイズの露光パターンを形成する際、レーザーのパルス発光をスリーブの回転と非同期で行うと（１）ロールの周長さが露光パターンのピッチの整数倍とならないため、ロール長手方向に露光を繰り返し行った時に露光開始位置の隣接するライン間で同期が取れない、（２）ロールはその長手方向で数μｍ程度の直径のバラツキが存在するため、ロール長手方向に露光を繰り返し行った時に露光開始位置の隣接するライン間で同期が取れない、（３）ロールの回転にはワウと呼ばれる揺らぎが存在するため、ロール長手方向及びロール回転方向に露光を繰り返し行った時に露光開始位置の同期が取れない、といった問題が発生するため実現に至っていない。
【先行技術文献】
【特許文献】
【００１４】
【特許文献１】特開２００７−１４４９９５号公報
【特許文献２】特開２００７−２７２０１６号公報
【非特許文献】
【００１５】
【非特許文献１】（株）情報機構  発刊  「最新レジスト材料」  P.59−P.76
【非特許文献２】独立行政法人物質・材料研究機構配布資料  (2009.3.26)
【発明の概要】
【発明が解決しようとする課題】
【００１６】
本発明は、ロールを被覆するレジスト層上で隣接する露光マークの露光開始点を正確に制御し２次元的に自在な配置に大面積の露光パターンを作製可能な露光装置及び露光方法を提供することを目的の一とする。
【課題を解決するための手段】
【００１７】
本願発明者らは、かかる課題を解決すべく鋭意検討し実験を重ねた結果、レジスト層が形成されたロール状の部材を回転させ、ロールの回転方向へ露光して形成される露光部のピッチが回転制御部の回転と同期した基準信号に基づいて露光位置を制御することによって隣接する露光ラインの露光開始点を正確に制御し２次元的に自在な配置に露光パターンを作製することが可能であることを見出し、本願発明を完成するに至った。具体的には、回転制御部の回転と同期したエンコーダーの出力信号、または予めロール状の部材上のレジストに露光しておいた露光パターンを再生専用光ピックアップで連続的に読み出した再生信号を基準として用い、隣接する露光ラインに形成される露光マークの露光開始点に設定した位相差を持たせて露光する。具体的には、以下のとおりである。
【００１８】
本発明の露光装置の一態様は、レジスト層がロール表面を被覆してなるロール状の部材にレーザー光でパルス露光してレジスト層に複数の露光部からなる露光パターンを形成する露光装置であって、ロール状部材をロールの中心を軸に回転させる回転制御部と、ロール状部材の回転方向における露光パターンをロール状部材の回転と同期した基準信号に基づいて制御し、ロール状部材の回転方向と垂直なロール長手方向に露光を繰り返す露光制御部とを有する。
【００１９】
本発明の露光装置の一態様において、基準信号が回転制御部の回転に同期したエンコーダーからの出力パルスであることが好ましい。
【００２０】
本発明の露光装置の一態様において、基準信号が予めレジスト層に形成された参照露光パターンを再生することで生成されることが好ましい。
【００２１】
本発明の露光装置の一態様において、少なくとも２個以上の光ピックアップにより参照露光パターンの再生とレジスト層の露光が同時に行われることが好ましい。
【００２２】
本発明の露光装置の一態様において、基準信号が予め異なる複数の周期の種類に応じてレジスト層に形成された複数の参照露光パターンを再生することで生成されることが好ましい。
【００２３】
本発明の露光装置の一態様において、異なる複数の基準信号に基づいて各々に予め設定された露光本数の露光ラインを形成することが好ましい。
【００２４】
本発明の露光装置の一態様において、ロール部材の回転方向における露光部の長さ及び間隔の少なくとも一方が基準信号の出力パルスに対して複数個のパルス長で制御されることが好ましい。
【００２５】
本発明の露光装置の一態様において、ロール長手方向に繰り返し露光される露光部の露光開始位置が、基準信号のスタートパルスからパルス数をカウントし、１種類のパルス数が露光開始パルスとして設定され、設定露光開始パルスの立ち上がりまたは立ち下がりのいずれか一方を基準としていることが好ましい。
【００２６】
本発明の露光装置の一態様において、ロール長手方向に繰り返し露光される露光部の露光開始位置が、基準信号のスタートパルスからパルス数をカウントし、異なる２種類以上のパルス数が設定され１ライン毎に順次設定露光開始パルス数が１周毎に異なり、設定露光開始パルスの立ち上がりまたは立ち下がりのいずれか一方を基準としていることが好ましい。
【００２７】
本発明の露光装置の一態様において、ロール回転方向に周期的に露光される露光パターンのピッチおよび露光部のサイズが５０ｎｍ以上１μｍ以下であることが好ましい。
【００２８】
本発明の露光装置の一態様において、ロール表面を被覆するレジスト層が熱反応型レジストからなることが好ましい。
【００２９】
本発明の露光装置の一態様において、レーザーの波長が５５０ｎｍ以下であることが好ましい。
【００３０】
本発明の露光装置の一態様において、レーザーが対物レンズにより収束されその焦点深度内にロール基材表面が存在するようにオートフォーカスされることが好ましい。
【００３１】
本発明の露光装置の一態様において、レーザーが半導体レーザーであることが好ましい。
【００３２】
本発明の露光装置の一態様において、レーザーがＸｅＦ、ＸｅＣｌ，ＫｒＦ、ＡｒＦ、Ｆ２エキシマレーザーであることが好ましい。
【００３３】
本発明の露光装置の一態様において、レーザーがＮｄ：ＹＡＧレーザーの２倍波、３倍波、４倍波であることが好ましい。
【００３４】
本発明のロールツーロールナノインプリント用モールドは、上述した露光装置により作製されたものであることを特徴としている。
【００３５】
本発明のロールツーロールナノインプリント用モールドの一態様において、モールドに形成された露光パターンのピッチおよび露光部のサイズが５０ｎｍ以上１μｍ以下であることが好ましい。
【発明の効果】
【００３６】
本発明によると、レジスト層がロール表面を被覆してなるロール状部材を回転制御部で回転させ、当該回転制御部の回転と同期した基準信号に基づいて露光位置を制御し、ロールの回転方向とは垂直なロールの長手方向に露光を繰り返すことにより、ロールを被覆するレジスト上で隣接する露光マークの露光開始点を正確に制御しロール表面に自在な配置に大面積の露光パターンを作製することができる。
【００３７】
また、本発明により、基準信号を基にロールの回転方向と直交するロールの長手方向に隣接する露光ラインに形成される露光マークの露光開始点を正確に制御しカラーフィルターなど様々な表面プラズモン効果を利用したデバイスを形成することができる。
【図面の簡単な説明】
【００３８】
【図１】本発明の実施形態に係る露光装置及び露光方法の一例を説明する図である。
【図２】本発明の実施形態に係る露光装置及び露光方法の別の一例を説明する図である。
【図３】エンコーダー信号を基準信号として露光マークを形成する場合の模式図である。
【図４】ロール長手方向に繰り返し露光される露光部の露光開始位置が、基準信号のスタートパルスからパルス数をカウントし、１種類のパルス数が露光開始パルスとして設定された場合の模式図である。
【図５】ロール長手方向に繰り返し露光される露光部の露光開始位置が、基準信号のスタートパルスからパルス数をカウントし、異なる３種類のパルス数が設定され１ライン毎に順次設定露光開始パルス数が１周毎に異なる場合の模式図である。
【図６】再生専用光ピックアップで再生した信号を基準としスピンドルモーターの回転と同期した露光を行った実施例３で製造したロール状部材を被覆したレジスト層の露光パターンをＡＦＭで観察した結果を示すＡＦＭ像である。
【図７】スピンドルモーターの回転と非同期でパルス露光を行った比較例２で製造したロール状部材を被覆したレジスト層の露光パターンをＡＦＭで観察した結果を示すＡＦＭ像である。
【図８】露光ラインを再生専用光ピックアップで再生した信号を基準としスピンドルモーターの回転と同期した露光を行った実施例４で製造したロール状部材を被覆したレジスト層の露光パターンをＡＦＭで観察した結果を示すＡＦＭ像である。
【図９】スピンドルモーターの回転と非同期でパルス露光を行った比較例３で製造したロール状部材を被覆したレジスト層の露光パターンをＡＦＭで観察した結果を示すＡＦＭ像である。
【発明を実施するための形態】
【００３９】
以下、本発明について詳細に説明するが、初めに本明細書中で使用される言葉の定義を行う。
【００４０】
「スタートパルス」とは、スピンドルモーターの回転と同期させたエンコーダーの出力パルス信号のうち、Ｚ相信号の直後に発生するパルスを指す。エンコーダーはスタートパルスからパルス数のカウントを開始し、回転数制御を行う。
【００４１】
「露光部」とは、露光のために発光された１パルスで形成された１つのマークを指す。また、「露光パターン」とは、ロールの周方向に露光された複数の露光部が形成する配列を示す。周方向に露光された１列を露光ラインと呼ぶ。
【００４２】
本発明の実施形態の一例を図１に示す。図１に示す露光装置は、レジスト層がロール表面を被覆してなるロール状部材１１を露光するものであり、少なくともロール状部材１１を回転させる回転制御部１３と、レジスト層にレーザー光を照射して露光する露光制御部１２とを有している。
【００４３】
回転制御部１３は、ロール状部材１１をロールの中心を軸に回転させる機能を有する装置で設ければよく、例えば、スピンドルモーター等を用いることができる。
【００４４】
露光制御部１２は、レジスト層をパルス状に露光（パルス露光）できる装置で設ければよく、例えば、光ピックアップ装置等を用いることができる。また、ロール状部材１１の回転方向と垂直なロール長手方向に露光を繰り返すことにより、レジスト層の所望の箇所を露光することが可能となる。
【００４５】
図１で示す露光装置では、ロール状部材１１に形成される露光パターンが回転制御部１３の回転（例えば、スピンドルモーターの回転）と同期した基準信号に基づいて制御されることにより、ロール状部材の回転方向において形成される露光部の位置を正確に制御すると共に、隣接する露光ラインの露光開始位置を正確に制御する。基準信号としては、スピンドルモーターの回転に同期したエンコーダーからの出力パルスを用いることができる。
【００４６】
スピンドルモーターを回転させることで発生するエンコーダーの出力信号を基準として利用する場合には、１つの光ピックアップ装置を用いてロール状部材１１の回転方向と直交するロールの長手方向において隣接する露光ラインに形成される露光部の露光開始点を正確に制御することが可能となる。２本以上の隣接する露光ラインに形成される露光部の露光開始点を正確に制御するためにはあらかじめ必要な本数に対してそれぞれエンコーダーからの出力パルスのカウント値を設定しておけばよい。
【００４７】
具体的には、１本目の露光を設定したエンコーダーからの出力パルスのカウント値になった時に露光を開始し、１本目の露光を完了後、２本目の露光を別に設定したエンコーダーからの出力パルスのカウント値になった時に露光を開始する。同様にして３本目以降の露光ラインを順次露光し、露光開始点を設定した隣接する複数本の露光が終了したら、再度１本目と同じエンコーダーからの出力パルスのカウント値になった時に露光を行い２本目、３本目と順次繰り返していく。ロールの回転方向と直交するロールの長手方向に隣接する露光ラインの露光部の露光開始位置を揃えて露光する時はエンコーダーからの出力パルスのカウント値を１つだけ設定しておけばよい。
【００４８】
図３はエンコーダー信号を基準信号として露光マークを形成する場合を模式的に示したものである。エンコーダー信号は露光マークのサイズおよび周期に一致したエンコーダー信号１のような信号でも良いし、また更に細かい周期のエンコーダー信号２の複数のパルスを１組として作成した基準信号を利用しても良い。
【００４９】
エンコーダーの出力パルスのピッチが露光する露光部のピッチとうまく同期しない場合は、抵抗と可変コンデンサー等の組み合わせで作製した遅延回路により同期させることができる。
【００５０】
本発明の実施形態の別の一例を図２に示す。図２に示す露光装置は、レジスト層がロール表面を被覆してなるロール状部材４１を露光するものであり、少なくともロール状部材４１を回転させる回転制御部４４と、レジスト層に形成された露光部を読み取る読取り部４２と、レジスト層にレーザー光を照射して露光する露光制御部４３とを有している。つまり、図２に示す露光装置は、図１に示す露光装置に読取り部４２を追加した構成となっている。
【００５１】
読取り部４２は、レジスト層に形成されたリファレンスとなる複数の参照露光部から形成された参照露光パターンを読み取れる装置で設ければよく、例えば、再生用光ピックアップ装置等を用いることができる。なお、再生用光ピックアップ装置を用いてレジスト層に形成された参照露光パターンを読み取る場合には、レジスト層に参照露光パターンが必要となるが、参照露光パターンは予め露光制御部４３（露光用の光ピックアップ装置等）を用いてレジスト層を露光して形成しておくことができる。
【００５２】
図２で示す露光装置では、予め形成しておいた参照露光パターンを再生用光ピックアップで連続的に読み出した再生信号を基準として用いることにより、隣接する露光ラインの露光開始点を正確に制御する。
【００５３】
また、２個以上の光ピックアップ装置（再生用光ピックアップ装置と露光用光ピックアップ装置）を用いることにより、レジスト層の参照露光パターンの読み取りと、レジスト層への露光を同時に行うことができる。
【００５４】
図２に示す場合も上記図１に示したエンコーダーを用いた時と同様、抵抗と可変コンデンサー等の組み合わせで作製した遅延回路により同期させることができる。
【００５５】
図２で説明した露光において、予めレジスト層に形成される参照露光パターンは１種類に限られない。例えば、参照露光パターンを構成する参照露光部の長さや参照露光部間のピッチが異なる複数の周期に対応した露光ラインを複数形成しておくことができる。この場合、基準信号は、レジスト層に予め形成された異なる複数の露光ラインを読取り部４２が読み込むことにより生成される。
【００５６】
同一露光ライン上に作製される露光部のピッチは５０ｎｍ以上１μｍ以下が好ましい。露光部のピッチが５０ｎｍよりも小さいと可視光波長域の光と相互作用しにくくなり、ピッチが１μｍよりも大きいと幾何光学的な効果が強くなってしまう。いずれの場合も光の波長分離や偏光分離などの効果を得ることが出来ない。
【００５７】
また、図１、図２に示す露光装置において、露光部長さ、露光部間隔は、基準信号のスタートパルスに対して複数個のパルス長で制御することができる。
【００５８】
図４はロール長手方向に繰り返し露光される露光部の露光開始位置が、基準信号のスタートパルスからパルス数をカウントし、１種類のパルス数が露光開始パルスとして設定された場合を示している。この場合、ロール長手方向に繰り返し露光される露光マークは全てスタートパルスから決められたｎ個のパルスを開けた位置から露光が開始される。
【００５９】
図５はロール長手方向に繰り返し露光される露光部の露光開始位置が、基準信号のスタートパルスからパルス数をカウントし、異なる２種類以上のパルス数が設定され１ライン毎に順次設定露光開始パルス数が１周毎に異なる場合を示している。図５は３種類のパルス数が設定された場合を表している。露光開始位置を示すスタートパルスからのパルス数はｎ個、ｎ＋２個、ｎ＋１個となっており、ロール長手方向Ｎ−２本目の露光マークがスタートパルスからｎ個目のパルスから、ロール長手方向Ｎ−１本目の露光マークがスタートパルスからｎ＋２個目のパルスから、ロール長手方向Ｎ本目の露光マークがスタートパルスからｎ＋１個目のパルスから露光が開始される。Ｎ＋１本目からは再度ｎ個、ｎ＋２個、ｎ＋１個の順にスタートパルスから露光開始位置がずれていく。
【００６０】
ロール表面を被覆するレジスト層はフォトレジスト及び熱反応型レジストのいずれでも適応可能であるか、より微細構造を求める場合は熱反応型レジストからなることが好ましい。熱反応型レジストは集光されたレーザー光を吸収し、その温度分布はほぼガウス分布となる。反応温度以上に昇温された領域のみ化学的、物理的な変化を生じるため、レーザーのスポットサイズよりも小さな露光部を形成することが出来る。
【００６１】
露光を行う光ピックアップに用いるレーザーは波長１５０ｎｍ以上５５０ｎｍ以下が好ましい。また装置の小型化および入手の容易さの観点からは半導体レーザーを使用することが好ましい。波長は３５０ｎｍ以上５５０ｎｍ以下であることが好ましい。波長が３５０ｎｍより短い場合、レーザーの出力が小さくなりレジスト層を露光することができない。一方波長が５５０ｎｍより長い場合、レーザーのスポット径を５００ｎｍ以下にすることが出来ず小さな露光部を形成することが出来ない。
【００６２】
一方、スポットサイズを小さくして小さな露光部を形成するためにはガスレーザーを使用することが好ましい。特にＸｅＦ、ＸｅＣｌ，ＫｒＦ、ＡｒＦ、Ｆ２のガスレーザーは波長が３５１ｎｍ、３０８ｎｍ、２４８ｎｍ、１９３ｎｍ、１５７ｎｍと短く非常に小さなスポットサイズに集光することができるため好ましい。
【００６３】
露光用レーザーとしてＮｄ：ＹＡＧレーザーの２倍波、３倍波、４倍波を用いることができる。Ｎｄ：ＹＡＧレーザーの２倍波、３倍波、４倍波の波長はそれぞれ５３２ｎｍ、３５５ｎｍ、２６６ｎｍであり、小さなスポットサイズを得ることが出来る。
【００６４】
平板状の基材上に設けられたレジスト層に微細パターンを露光により形成する場合、平板状基材の精度が非常に高く初めに焦点深度内に基材表面があるようにレーザーの光学系を調整しておけば製造は容易である。一方、ロール状の基材上に設けられたレジスト層に微細パターンを形成する場合、ロールの寸法精度を高めることが非常に難しいこと、ロールのセンター軸とスピンドルモーターのセンター軸を一致させることが困難であることなどの理由から、露光に用いられるレーザーは対物レンズにより収束されロール状基材表面が焦点深度の中に絶えず存在するようにオートフォーカスがかけられていることが好ましい。
【００６５】
以上のように本実施の形態で示した露光装置及び露光方法を用いることにより、ロールの周長さが露光部ピッチの整数倍とすることが可能となり、ロール長手方向に露光を繰り返し行うときであっても隣接するライン間で露光開始位置を正確に制御することができる。また、ロールの長手方向で数μｍ程度の直径のバラツキが存在する場合であっても、エンコーダー出力信号及び再生用ピックアップで読み出した再生信号は常時同期信号を出しているのと同じであるため、ロール長手方向に露光を繰り返し行うときであっても隣接するライン間で露光開始位置を正確に制御することができる。また、ロールの回転に揺らぎが存在する場合であっても、上記理由により、ロール長手方向に露光を繰り返し行うときであっても隣接するライン間で露光開始位置を正確に制御することができる。
【実施例】
【００６６】
以下本発明の効果を明確にするために行った実施例に基づいて本発明を詳細に説明する。なお、本発明は、以下の実施例に限定されるものではない。
【００６７】
［実施例１］
スピンドルモーターの回転に同期したエンコーダーの出力パルス数がスピンドルモーター１回転の間に３×１０５個であるエンコーダーを用い、スピンドルモーターの回転と同期した露光を行った。直径４０ｍｍの熱反応型レジストが被覆されたロールを線速度０．７ｍ／ｓｅｃで回転させ、オートフォーカスを掛けた状態で、ロール長手方向の露光ライン間隔を４００ｎｍとして、エンコーダーからの出力パルス１つにつき露光マークを１つ形成した。露光には波長４０５ｎｍの半導体レーザーを用いた。本条件で形成した露光部の配列を原子間力顕微鏡（ＡＦＭ）にて観察した結果、ロール長手方向に露光部の露光開始位置がきれいに揃った、ロール回転方向のピッチが４１８ｎｍの露光部が形成されていることを確認した。
【００６８】
［実施例２］
直径４０ｍｍの熱反応型レジストが被覆されたロールを線速度０．７ｍ／ｓｅｃで回転させ、スピンドルモーターのＺ相信号を基準にライトゲートを作製し、周波数０．７ＭＨｚ、ｄｕｔｙ５０の信号をオートフォーカスを掛けた状態で、ロール１周に露光した。露光には波長４０５ｎｍの半導体レーザーを用いた。この時、露光マーク部は未露光部分に比べ反射率が低下した。この露光ラインを再生専用光ピックアップで再生した信号を基準としスピンドルモーターの回転と同期した露光を行った。ロール長手方向の露光ライン間隔を４００ｎｍとして、再生した信号波形の立ち上がり毎に露光用光ピックアップからレーザーをパルス発光することで露光マークを形成した。本条件で形成した露光マークの配列をＡＦＭにて観察した結果、ロール長手方向に露光マークの露光開始位置がきれいに揃った、ロール回転方向のピッチが１μｍの露光マークが形成されていることを確認した。
【００６９】
[実施例３]
直径４０ｍｍの熱反応型レジストが被覆されたロールを線速度０．７ｍ／ｓｅｃで回転させ、スピンドルモーターのＺ相信号を基準にライトゲートを作製し、周波数５．６ＭＨｚ、ｄｕｔｙ５０の信号をオートフォーカスを掛けた状態で、ロール１周に露光した。露光には波長４０５ｎｍの半導体レーザーを用いた。この時、露光マーク部は未露光部分に比べ反射率が低下した。この露光ラインを再生専用光ピックアップで再生した信号を基準としスピンドルモーターの回転と同期した露光を行った。再生にも波長４０５ｎｍの半導体レーザーを用いた。ロール長手方向の露光ライン間隔を５００ｎｍとして、再生した信号波形のパルス２個分の長さで露光用光ピックアップからレーザーをパルス発光し、その後パルス３個分パルス発光させないように露光マークを形成した。本条件で形成した露光マークの配列をＡＦＭにて観察した結果を図６に示す。その結果、ロール長手方向に露光マークの露光開始位置がきれいに揃った、ロール回転方向のピッチが６２５ｎｍで２５０ｎｍの露光マークが形成されていることを確認した。
【００７０】
[実施例４]
直径４０ｍｍの熱反応型レジストが被覆されたロールを線速度０．７ｍ／ｓｅｃで回転させ、スピンドルモーターのＺ相信号を基準にライトゲートを作製し、周波数５．６ＭＨｚ、ｄｕｔｙ５０の信号をオートフォーカスを掛けた状態でロール１周に露光した。露光には波長４０５ｎｍの半導体レーザーを用いた。この時、露光マーク部は未露光部分に比べ反射率が低下した。この露光ラインを再生専用光ピックアップで再生した信号を基準としスピンドルモーターの回転と同期した露光を行った。ロール長手方向の露光ライン間隔を５００ｎｍとして、再生した信号波形のパルス４個分の長さで露光用光ピックアップからレーザーをパルス発光し、その後パルス３個分パルス発光させないように露光マークを形成した。本条件で形成した露光マークの配列をＡＦＭにて観察した結果を図８に示す。その結果、ロール長手方向に露光マークの露光開始位置がきれいに揃った、ロール回転方向のピッチが８７５ｎｍで５００ｎｍの露光マークが形成されていることを確認した。
【００７１】
直径４０ｍｍの熱反応型レジストが被覆されたロールを線速度０．７ｍ／ｓｅｃで回転させ、スピンドルモーターのＺ相信号を基準にライトゲートを作製し、周波数１１．２ＭＨｚ、ｄｕｔｙ５０の信号をオートフォーカスを掛けた状態でロール１周に露光した。露光には波長２４８ｎｍのＫｒＦレーザーを用いた。この時、露光マーク部は未露光部分に比べ反射率が低下した。この露光ラインを再生専用光ピックアップで再生した信号を基準としスピンドルモーターの回転と同期した露光を行った。再生にも波長２４８ｎｍのＫｒＦレーザーを用いた。ロール長手方向の露光ライン間隔を２５０ｎｍとして、再生した信号波形のパルス２個分の長さで露光用光ピックアップからレーザーをパルス発光し、その後パルス３個分パルス発光させないように露光マークを形成した。本条件で形成した露光マークの配列をＡＦＭにて観察した結果、ロール長手方向に露光マークの露光開始位置がきれいに揃った、ロール回転方向のピッチが３１２．５ｎｍで１２５ｎｍの露光マークが形成されていることを確認した。
【００７２】
［比較例１］
直径４０ｍｍの熱反応型レジストが被覆されたロールを線速度０．７ｍ／ｓｅｃで回転させ、スピンドルモーターのＺ相信号を基準にライトゲートを作製し、周波数１．６７ＭＨｚ、ｄｕｔｙ５０の信号をオートフォーカスを掛けた状態で、ロール長手方向の露光ライン間隔を４００ｎｍとして、スピンドルモーターの回転と全く同期させずに露光マークを形成した。露光には波長４０５ｎｍの半導体レーザーを用いた。本条件で形成した露光マークの配列をＡＦＭにて観察した結果、ロール長手方向に露光マークの露光開始位置がばらばらな、ロール回転方向のピッチが４１８ｎｍの露光マークが形成されていることを確認した。
［比較例２］
直径４０ｍｍの熱反応型レジストが被覆されたロールを線速度０．７ｍ／ｓｅｃで回転させ、スピンドルモーターのＺ相信号を基準にライトゲートを作製し、周波数１．１２ＭＨｚ、パルス幅３６０ｎｓｅｃの信号をオートフォーカスを掛けた状態で、ロール長手方向の露光ライン間隔を５００ｎｍとして、スピンドルモーターの回転と全く同期させずに露光マークを形成した。露光には波長４０５ｎｍの半導体レーザーを用いた。本条件で形成した露光マークの配列をＡＦＭにて観察した結果を図７に示す。その結果ロール長手方向に露光マークの露光開始位置がばらばらな、ロール回転方向のピッチが６２５ｎｍで２５０ｎｍの露光マークが形成されていることを確認した。
［比較例３］
直径４０ｍｍの熱反応型レジストが被覆されたロールを線速度０．７ｍ／ｓｅｃで回転させ、スピンドルモーターのＺ相信号を基準にライトゲートを作製し、周波数０．８０ＭＨｚ、パルス幅７１５ｎｓｅｃの信号をオートフォーカスを掛けた状態で、ロール長手方向の露光ライン間隔を５００ｎｍとして、スピンドルモーターの回転と全く同期させずに露光マークを形成した。露光には波長４０５ｎｍの半導体レーザーを用いた。本条件で形成した露光マークの配列をＡＦＭにて観察した結果を図９に示す。その結果ロール長手方向に露光マークの露光開始位置がばらばらな、ロール回転方向のピッチが８７５ｎｍで５００ｎｍの露光マークが形成されていることを確認した。
［比較例４］
直径４０ｍｍの熱反応型レジストが被覆されたロールを線速度０．７ｍ／ｓｅｃで回転させ、スピンドルモーターのＺ相信号を基準にライトゲートを作製し、周波数０．８０ＭＨｚ、パルス幅７１５ｎｓｅｃの信号をオートフォーカスを掛けない状態で、ロール長手方向の露光ライン間隔を５００ｎｍとして、スピンドルモーターの回転と全く同期させずに露光マークを形成した。露光には波長４０５ｎｍの半導体レーザーを用いた。本条件で形成した露光マークの配列をＡＦＭにて観察した結果、ロール長手方向に露光マークの露光開始位置がばらばらな、ロール回転方向のピッチが８７５ｎｍで５００ｎｍの露光マークが形成されていることを確認した。またオートフォーカスが掛かっていないので、ロール長手方向に±１０ｍｍの範囲で、各露光マークの長さは５００ｎｍ±２０ｎｍのばらつきがあった。
【産業上の利用可能性】
【００７３】
本発明の露光装置は、ナノプリント用モールドの作製装置として、好適に用いられる。
【符号の説明】
【００７４】
１１  ロール状部材
１２  露光制御部
１３  回転制御部
４１  ロール状部材
４２  読取り部
４３  露光制御部
４４  回転制御部
【図１】
2011118049.tif 000003
【図２】
2011118049.tif 000004
【図３】
2011118049.tif 000005
【図４】
2011118049.tif 000006
【図５】
2011118049.tif 000007
【図６】
2011118049.tif 000008
【図７】
2011118049.tif 000009
【図８】
2011118049.tif 000010
【図９】
2011118049.tif 000011